(57)【要約】【課題】吸着音を発生する、警告音を出すチルトヒンジを提供する。【解決手段】警告音を出すチルトヒンジは、複数のワッシャーと、複数のスプリングワッシャーと、回転物体に取り付ける取付部材と、ストッパー部を備えたプレートと、上記ワッシャーとスプリングワッシャーと取付部材とプレートを軸支し貫通するシャフトと、複数のワッシャーと複数のスプリングワッシャーを固定しスラスト方向への押圧力を調節するナットと、シャフトのスラスト方向への抜け止めの機能を果たす割りピンと、を備える。【選択図】  図１
2009047254.tif 000002
【特許請求の範囲】
【請求項１】
複数のワッシャーと、複数のスプリングワッシャーと、回転物体に取り付ける取付部材と、ストッパー部を備えたプレートと、上記ワッシャーとスプリングワッシャーと取付部材とプレートを軸支し貫通するシャフトと、複数のワッシャーと複数のスプリングワッシャーを固定しスラスト方向への押圧力を調節するナットと、シャフトのスラスト方向への抜け止めの機能を果たす割りピンと、を備えたチルトヒンジにおいて、回転物体を支える上記取付部材が、上記プレートに固定されたマグネットキャッチに接近した時に、取付部材とマグネットキャッチが吸着動作を行ない、吸着音を発生するように構成したことを特徴とする警告音を出すチルトヒンジ。
【請求項２】
吸着力により安定的に回転物体を固定させるために、回転物体の開放角度が０°近傍である状態の時、乃至、回転物体を支える上記取付部材がプレートのストッパー部に当たる時に、回転物体とマグネットキャッチとが接触する位置にマグネットキャッチを２個配備したことを特徴とする請求項１に記載の警告音を出すチルトヒンジ。
【請求項３】
支持部材と、可動部材と、前記支持部材と前記可動部材との間に設けられ、前記可動部材を前記支持部材によって支持すると共に前記支持部材に対する前記可動部材の傾き角度を調整可能とするチルトヒンジと、前記支持部材に対する前記可動部材の傾き角度を所定の可動範囲に限定するストッパー機構と、前記所定の可動範囲の限界まで前記可動部材を傾けた際に、その事実を報知する警告音を出す手段を備えた支持構造。
【請求項４】
前記警告音を出す手段は、前記支持部材と前記可動部材の一方に設けられた金属製部材と、他方に設けられたマグネットキャッチとからなり、前記可動部材を前記所定の範囲の限界まで傾けた場合、前記マグネットキャッチが前記金属製部材を吸着し、前記警告音としての接触音を発生することを特徴とする請求項３に記載の支持構造。
【請求項５】
前記可動部材には、液晶モニターが搭載されていることを特徴とする請求項３に記載の支持構造。
【発明の詳細な説明】
【技術分野】
【０００１】
本発明は、液晶モニター等を支持する為に用いられる警告音を出すチルトヒンジおよび支持構造に関する。
【背景技術】
【０００２】
液晶モニター等の表示装置では、その視認性を良くする為に、多くの場合、チルトヒンジを用いて画面の角度調整が可能となっている。チルトヒンジは、その構造上またはその他の理由で、ストッパー部等により回動範囲に一定の限度が設けられている。
【０００３】
使用者がチルトヒンジの回りに、表示装置を回転させると、ストッパー部によりそれ以上の回転動作が物理的規制で出来なくなる。更に力を加えても回転しないという事実によって、使用者はそれが停止角度であることを認識する。しかし、従来のチルトヒンジの場合、使用者によっては、上記物理的規制があっても、しばしば停止角度であるという認識を持たない為、限界を超えて無理に回転させようとすることがある。そして、チルトヒンジ自体にダメージを与えたり、場合によっては破損するという事態もあった。
【発明の開示】
【発明が解決しようとする課題】
【０００４】
上記の通り、従来型のチルトヒンジ機構を有する回転物体は、回転動作させ可動範囲境界に至っても、操作者がそれを認識出来る手段は負荷変化だけであった。その為、可動範囲の境界であることを認識しないで可動範囲を超え回転動作させてしまい、回転物体を破損させる事態が起こっていた。
【課題を解決するための手段】
【０００５】
本発明では、可動範囲境界に対応する停止角度まで回転物体を回転動作させた場合に発生する警告音、例えばマグネットキャッチと回転動作する物体との吸着音により、操作者が聴覚的に判定出来るようにした。このことにより、回転動作する物体が不用意な操作によって破損することを防止することが可能となった。
【０００６】
従って、本発明の１つの様相によるチルトヒンジは、複数のワッシャーと、複数のスプリングワッシャーと、回転物体に取り付ける取付部材と、ストッパー部を備えたプレートと、上記ワッシャーとスプリングワッシャーと取付部材とプレートを軸支し貫通するシャフトと、複数のワッシャーと複数のスプリングワッシャーを固定しスラスト方向への０００５押圧力を調節するナットと、シャフトのスラスト方向への抜け止めの機能を果たす割りピンと、を備え、回転物体を支える上記取付部材が、上記プレートに固定されたマグネットキャッチに接近した時に、取付部材とマグネットキャッチが吸着動作を行ない、吸着音を発生するように構成した。
【０００７】
１つの好ましい実施形態は、吸着力により安定的に回転物体を固定させるために、回転物体の開放角度が０°近傍である状態の時、乃至、回転物体を支える上記取付部材がプレートのストッパー部に当たる時に、回転物体とマグネットキャッチとが接触する位置にマグネットキャッチを２個配備したことを特徴とする。
【０００８】
また、本発明の別の様相による支持構造は、支持部材と、可動部材と、前記支持部材と前記可動部材との間に設けられ、前記可動部材を前記支持部材によって支持すると共に前記支持部材に対する前記可動部材の傾き角度を調整可能とするチルトヒンジと、前記支持部材に対する前記可動部材の傾き角度を所定の可動範囲に限定するストッパー機構と、前記所定の可動範囲の限界まで前記可動部材を傾けた際に、その事実を報知する警告音を出す手段を備えている。
【０００９】
１つの好ましい実施形態は、前記警告音を出す手段は、前記支持部材と前記可動部材の一方に設けられた金属製部材と、他方に設けられたマグネットキャッチとからなり、前記可動部材を前記所定の範囲の限界まで傾けた場合、前記マグネットキャッチが前記金属製部材を吸着し、前記警告音としての接触音を発生することを特徴とする。
【００１０】
また、１つの好ましい実施形態は、前記可動部材には、液晶モニターが搭載されていることを特徴とする。
【発明の効果】
【００１１】
上述の様に構成するチルトヒンジおよび支持構造によれば、チルトヒンジに軸支されている回転物体が回転し停止位置まで来ると、警告音が発生する。これにより、操作者がこれ以上回転しないことを聴覚的に認識出来る。例えば、マグネットキャッチの回転物体との吸着力により、警告音を発生させることができる。この場合、操作者が聴覚的に停止角度を認識出来るだけでなく、マグネットキャッチの吸着力が保持力として働き、回転物体を安定的に固定させることも出来る。
【００１２】
チルトヒンジにより回転する回転物体がマグネットキャッチと接触する近傍まで回転するとマグネットキャッチと回転物体との吸着力により、吸着動作をし、音を発生させる。その音により、操作者は可動境界だと認識出来、それ以上、同じ向きに回転動作させる危険性が無く、回転物体が破損する事態が起きなくなる効果がある。また、可動範囲境界に対応する停止位置においては、マグネットキャッチと回転物体を支える取付部材との吸着力により、その位置から回転物体が不用意に回転することなくなり、安定的に固定させることが出来るという利便性もある。
【００１３】
又、無理な回転操作を行うことが少なくなるという点から、これまでチルトヒンジへ要求されていた強度が低くなり、結果としてチルトヒンジをより安価に製作することが可能となり、コストダウンにつながるという利点もある。
【発明を実施するための最良の形態】
【００１４】
図１は、本発明の一実施例によるチルトヒンジを備えた液晶モニター支持装置の斜視図であり、図２は図１の支持装置が搭載されたフォークリフトを示す斜視図である。
【００１５】
図１において、１は複数のワッシャーと複数のスプリングワッシャー、２はナット、３はシャフト、４は割りピン、５はストッパー、６は左側の取付部材、７は右側の取付部材、８はプレートの一部であるストッパー部、９はマグネットキャッチ、１０はマグネットキャッチ９を固定させるマグネットキャッチブラケット、１１はプレートである。ストッパー５は取付部材６の一部であり、図には示されてはいないが、取付部材７にも同様のストッパーが形成されている。
【００１６】
上記の構成要素からなる液晶モニター支持装置では、左側の取付部材６および右側の取付部材７に、ＶＥＳＡ規格に準拠したネジ穴Ｈが４箇所に設けられており、ＶＥＳＡ規格に準拠した任意の液晶モニターを支持固定することができる。
【００１７】
また、プレート１１は、可動部材としての取付部材６、７を支持する支持部材であり、フォークリフトの所定の位置にネジによって取り付けられる。また、プレート１１の上部に設けられたチルトヒンジ構造は、プレート１１を貫通すると共にこのプレート１１に軸支されたシャフト３と、複数のワッシャーおよびスプリングワッシャー１、ナット２、および割りピン４からなっている。このチルトヒンジ構造において、ナット２は、複数のワッシャーと複数のスプリングワッシャー１を固定しスラスト方向への押圧力を調節する。また、割りピン４は、シャフトがスラスト方向に抜けるのを防止する目的で設けられている。
【００１８】
また、液晶モニターを支持固定する為の左側の取付部材６および右側の取付部材７は、このチルトヒンジによって、プレート１１に対して回転可能に接続されると共にこのプレート１１に支持されている。この液晶モニター支持装置に取り付けられた液晶モニターは、上記構成のチルトヒンジ構造によって、下記の可動境界を超えない範囲で任意の角度で固定することが出来る。
【００１９】
左右の取付部材６、７には、それぞれストッパー５が設けられている。又、このストッパー５に対応して、プレート１１の左右それぞれに、ストッパー部８が一体的に設けられている。このストッパー５がプレート１１の一部であるストッパー部８に当たると、取付部材６と取付部材７はそれ以上の回転動作ができなくなる。
【００２０】
ストッパー５とストッパー部８が当接する位置において、取付部材７とマグネットキャッチ９が接触するように、予めマグネットキャッチ９の位置が設計されている。従って、ストッパー５とストッパー部８が当接する際に、マグネットキャッチ９が磁力によって取付部材７を引きつけ、接触音が発生する。この接触音は、それ以上の回転動作ができないということを、使用者に気付かせる警告音として機能する。従って、操作者は液晶モニターの可動境界を認識出来、液晶モニターをこれ以上回転させる危険性を回避する仕組みとなっている。
【００２１】
一対のマグネットキャッチ９は液晶モニターの開放角度（鉛直方向に対する傾き角度）が０°と、３０°にある時、取付部材７と接触するようにマグネットキャッチブラケット１０に設けられている。従って、マグネットキャッチ９は、２つのマグネットからなっており、それらは鉛直方向に対する傾き角度が０°と３０°となっている。マグネットの磁力は強ければ、接触音が大きくなると共にマグネットキャッチの吸着力が保持力として働き、回転物体をより安定的にその角度に固定することが可能になる。この保持力は、マグネットキャッチと取付部材７とが接触する位置、すなわち、液晶モニターの開放角度が０°と３０°の２つの角度において発揮される。しかし、磁力が、あまりに強すぎると操作しにくくなるという点も考慮して、適当な強さの磁石を用いる。尚、ここで２つの可動境界として、開放角度の０°と３０°としたが、実際の応用によって適宜選択されることは言うまでもない。
【００２２】
マグネットの接触音を大きくする工夫としては、一般的になされているやり方を行えば良い。例えば、液晶モニターの傾きが、その限界の開放角度まで近づき、取付部材とマグネットの間隙が、１ミリ程度となった段階で、マグネット自体が移動し取付部材へ衝突するようにする。それには、マグネットの取付に遊びを持たせ、故意にがたつきを与える等の方法がある。または、マグネットをピボットヒンジ等で可動なように取り付けるようにしても良い。これによって、より大きな報知音が得られる。
【００２３】
更に報知を確実にするには、マグネットキャッチ９の代わりに開閉スイッチを設けてもよい。この開閉スイッチは、液晶モニターが上記２つの可動境界まで傾いた場合にオンするように設けられており、この開閉スイッチがオンするとブザーなどを鳴らすようにして、使用者に警告を行う。
【００２４】
図２は、本発明の警告音を出すチルトヒンジに取り付けられた回転物体であるモニターＭをフォークリフト作業者が見易いように回転させ、作業を行なう実施例を示している。作業者はこのモニターＭの情報を認知して作業を行なうことになる。そのため、モニターＭが見易いことが重要となる。モニターＭが光、例えば太陽光などで見ずらいと、疲労を伴い、利便性の面で良くない。さらに重要であるのは、モニターＭの可動境界が分かることである。今までのチルトヒンジでは、回転物体の可動境界が分かりずらく、チルト機構を破損させる事態が起こっていた。その意味で、音を発生させ、可動境界を知ることが出来ることは危険性を回避する意味で重要である。
【００２５】
以上、本発明を実施例により詳細に説明したが、当業者にとっては、本発明が本願中に説明した実施例に限定されるものではないということは明らかである。本発明は、請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【００２６】
上記実施例では、フォークリフトに液晶モニターを設置するのに用いられる液晶モニター支持装置を説明した。しかし、本発明は、デスクトップコンピュータやノートパソコン用の液晶モニターの為の支持装置や、その他の同様の液晶モニター支持装置にも応用できる。又、回転物体としてモニターを説明したが、その他の装置、部材であっても上記と同様に実装でき、同様の効果があることは明らかである。更に、回転物体の支持装置に限らず、可動範囲の限定されたチルトヒンジ全般に応用できるものであることは明らかである。
【産業上の利用可能性】
【００２７】
本発明のチルトヒンジは、以上に述べた通り構成され作用するので、チルトヒンジに軸支されている回転物体が回転し停止位置まで来ると、マグネットキャッチの回転物体との吸着力により音が発生するため、操作者は聴覚的に停止位置を認識することが出来る。これにより、チルトヒンジ自体にダメージを与えたり、場合によっては破損するという事態が避けられる。
【図面の簡単な説明】
【００２８】
【図１】本発明の一実施例による警告音を出すチルトヒンジの斜視図である。
【図２】図１の支持装置が搭載されたフォークリフトを示す斜視図である。
【符号の説明】
【００２９】
１    スプリングワッシャー
２    ナット
３    シャフト
４    ピン
５    ストッパー
６    取付部材
７    取付部材
８    ストッパー部
９    マグネットキャッチ
１０  マグネットキャッチブラケット
１１  プレート
Ｈ    ネジ穴
Ｍ    液晶モニター
【図１】
2009047254.tif 000003
【図２】
2009047254.tif 000004